(57)【要約】【課題】ユーザの嗜好に合った画像データを生成する。【解決手段】スキャナ部１２によりページ毎に複数の画像処理条件で画像ページデータとして読み取ることにより生成した画像データを記憶する画像データ一時記憶メモリ１４を備え、画像決定手段１３１が、記憶された画像データから、ユーザの入力情報に基づいて、ページ毎に、複数の画像処理条件で読み取られた画像ページデータからいずれか１つの画像ページデータを選択する。【選択図】図１
2016213565.tif 000002
【特許請求の範囲】
【請求項１】
原稿読み取り手段によりページ毎の原稿を、複数の画像処理条件で読み取ることにより生成した画像ページデータを記憶する画像記憶手段と、
前記画像記憶手段に記憶された画像ページデータから、ユーザの入力情報に基づいて、ページ毎に、複数の画像処理条件で読み取られた画像ページデータからいずれか１つの画像ページデータを決定する画像決定手段と、
前記画像決定手段により決定されたページ毎の画像ページデータを、原稿画像データとして記憶する原稿画像記憶手段とを、
を備えたことを特徴とする画像処理装置。
【請求項２】
前記画像記憶手段は、画像属性に対するデータを最も細かく取得できる画像処理条件で前記画像ページデータを読み取った場合の画像属性データを、ページ毎に、記憶し、
前記複数の画像処理条件のうちいずれかに決定するための画像属性の判定条件を、ユーザ毎に記憶する判定条件記憶手段と、
前記ユーザ入力情報に対応する画像属性の判定条件に基づいて、前記画像記憶手段に記憶された各画像属性データに対応する画像処理条件を決定する画像処理条件決定手段と、
前記画像処理条件決定手段により決定された画像処理条件で読み取られた画像ページデータが選択された状態で表示するとともに、前記画像処理条件決定手段により決定されなかった他の画像処理条件で読み取られた画像ページデータが選択されない状態で表示する表示手段と、
前記ユーザの入力情報に基づいて、前記表示手段に表示された、ページ毎の前記複数の画像ページデータに対して、いずれか１つの画像ページデータに、選択状態を確定する選択状態確定手段と、を備え、
前記画像決定手段は、
前記選択状態確定手段により選択状態が確定されたページ毎の画像ページデータを、ページ毎の画像ページデータとして決定することを特徴とする請求項１記載の画像処理装置。
【請求項３】
ユーザの入力情報に基づいて、前記選択状態確定手段により、前記表示手段により表示された画像ページデータの選択状態が変更して確定した場合、前記変更された画像ページデータの画像属性データと、画像処理条件の変更と、前記確定した回数とを対応付けて記憶する変更記憶手段と、
前記画像属性データ及び画像処理条件の変更の組み合わせに対応する選択状態の確定の回数が、所定閾値を超えた場合、前記画像属性データと変更後の画像処理条件との組み合わせが含むように、前記判定条件記憶手段に記憶された判定条件を修正する判定条件記憶制御手段とを備えることを特徴とする請求項２に記載の画像処理装置。
【発明の詳細な説明】
【技術分野】
【０００１】
本発明は、簡易に、ページ毎にユーザの嗜好に合った画像処理条件で読み取られた原稿画像データを生成する画像処理装置に関する。
【背景技術】
【０００２】
一般的に、固体撮像素子（ＣＣＤ）や密着イメージセンサ（ＣＩＳ）等によって原稿全体を光学的に読み取り、画像データに変換するスキャナ装置が知られている。
【０００３】
例えば、特許文献１には、操作部１１がスキャン条件の設定入力等の入力操作をユーザから受け付け、表示部１２がユーザへ情報を提示し、スキャナ部１３が予め設定される複数のスキャン条件のうち、指定されたスキャン条件毎に原稿を読み取りスキャン条件毎の画像情報を生成する記載のスキャナが開示されている。
【先行技術文献】
【特許文献】
【０００４】
【特許文献１】特開２００６−２６１７５９号公報
【発明の概要】
【発明が解決しようとする課題】
【０００５】
しかしながら、特許文献１に記載のスキャナでは、原稿のページ毎にスキャナ部のスキャン条件を設定することができない。
【０００６】
スキャンされる原稿には、ページ毎に、写真画像やイラスト画像や文字画像など様々な種類の画像が含まれることがある。そのため、ユーザは、例えば文字画像についてはモノクロかつ低解像度でスキャンし、写真画像についてはカラーかつ高解像度でスキャンしたいなど、画像の種類によりモノクロ／カラーや高解像度／低解像度などのスキャン条件を切り替えたい場合がある。また、文字画像の中でも、本文の文字画像についてはモノクロでスキャンしたいが、「Confidential」など特別な意味を持つような文字画像を含むものはカラーでスキャンしたいなど、文字画像でもその意味合いによってスキャン条件を切り替えたい場合もある。
【０００７】
このような様々な種類の画像を含む原稿をスキャンする場合、原稿の全てのページに対して共通のスキャン条件（画像処理条件）を適用させると、ユーザの嗜好に合致したスキャン画像を得ることが困難であった。
【０００８】
一方、ページ毎にスキャン条件を設定して読み取ることを繰り返すと多大な時間及びユーザの労力を生じてしまう。
【０００９】
本発明は、このような課題に鑑みてなされたものであり、簡易にページ毎にユーザの嗜好に合った画像処理条件で読み取られた原稿画像データを生成することができる画像処理装置を提供することを目的とする。
【課題を解決するための手段】
【００１０】
上記目的を達成するため、本発明に係る画像処理装置の第１の特徴は、原稿読み取り手段によりページ毎の原稿を、複数の画像処理条件で読み取ることにより生成した画像ページデータを記憶する画像記憶手段と、前記画像記憶手段に記憶された画像ページデータから、ユーザの入力情報に基づいて、ページ毎に、複数の画像処理条件で読み取られた画像ページデータからいずれか１つの画像ページデータを決定する画像決定手段と、前記画像決定手段により決定されたページ毎の画像ページデータを、原稿画像データとして記憶する原稿画像記憶手段とを、を備えたことにある。
【００１１】
本発明に係る画像処理装置の第２の特徴は、前記画像記憶手段は、画像属性に対するデータを最も細かく取得できる画像処理条件で前記画像ページデータを読み取った場合の画像属性データを、ページ毎に、記憶し、前記複数の画像処理条件のうちいずれかに決定するための画像属性の判定条件を、ユーザ毎に記憶する判定条件記憶手段と、前記ユーザ入力情報に対応する画像属性の判定条件に基づいて、前記画像記憶手段に記憶された各画像属性データに対応する画像処理条件を決定する画像処理条件決定手段と、前記画像処理条件決定手段により決定された画像処理条件で読み取られた画像ページデータが選択された状態で表示するとともに、前記画像処理条件決定手段により決定されなかった他の画像処理条件で読み取られた画像ページデータが選択されない状態で表示する表示手段と、前記ユーザの入力情報に基づいて、前記表示手段に表示された、ページ毎の前記複数の画像ページデータに対して、いずれか１つの画像ページデータに、選択状態を確定する選択状態確定手段と、を備え、前記画像決定手段は、前記選択状態確定手段により選択状態が確定されたページ毎の画像ページデータを、ページ毎の画像ページデータとして決定することにある。
【００１２】
本発明に係る画像処理装置の第３の特徴は、ユーザの入力情報に基づいて、前記選択状態確定手段により、前記表示手段により表示された画像ページデータの選択状態が変更して確定した場合、前記変更された画像ページデータの画像属性データと、画像処理条件の変更と、前記確定した回数とを対応付けて記憶する変更記憶手段と、前記画像属性データ及び画像処理条件の変更の組み合わせに対応する選択状態の確定の回数が、所定閾値を超えた場合、前記画像属性データと変更後の画像処理条件との組み合わせが含むように、前記判定条件記憶手段に記憶された判定条件を修正する判定条件記憶制御手段とを備えることにある。
【発明の効果】
【００１３】
本発明に係る画像処理装置の第１の特徴によれば、画像決定手段が、画像記憶手段に記憶された画像ページデータから、ユーザの入力情報に基づいて、ページ毎に、複数の画像処理条件で読み取られた画像ページデータからいずれか１つの画像ページデータを決定し、原稿画像記憶手段が、画像決定手段により決定されたページ毎の画像ページデータを、原稿画像データとして記憶する。
【００１４】
そのため、ページ毎に、複数の画像処理条件で読み取られた画像ページデータの中からユーザの嗜好に合った画像処理条件で読み取られた画像ページデータを決定し、決定した画像ページデータを原稿画像データとして記憶することができる。
【００１５】
また、ユーザがページ毎に画像処理条件を設定して読み取ることを繰り返す必要はないので、読み取り時間を短縮できると共に、ユーザの作業負荷を低減することができるので、簡易にページ毎にユーザの嗜好に合った画像処理条件で読み取られた原稿画像データを生成することができる。
【００１６】
本発明に係る画像処理装置の第２の特徴によれば、画像処理条件決定手段が、ユーザ入力情報に対応する画像属性の判定条件に基づいて、画像記憶手段に記憶された各画像属性データに対応する画像処理条件を決定し、表示手段が、画像処理条件決定手段により決定された画像処理条件で読み取られた画像ページデータが選択された状態で表示するとともに、画像処理条件決定手段により決定されなかった他の画像処理条件で読み取られた画像ページデータが選択されない状態で表示する。そして、選択状態確定手段が、ユーザの入力情報に基づいて、前記表示手段に表示された、ページ毎の前記複数の画像ページデータに対して、いずれか１つの画像ページデータに、選択状態を確定し、画像決定手段が、選択状態確定手段により選択状態が確定されたページ毎の画像ページデータを、ページ毎の画像ページデータとして決定する。
【００１７】
そのため、ユーザは、ユーザは表示手段により提示された画像ページデータを実際に確認しながら、自分の好みの画像ページデータか否かを判断することができる。そして、もし、自分の好みの画像ページデータでない場合、自分の好みの画像ページデータに変更することができるので、よりユーザの嗜好に合った画像データを生成することができる。
【００１８】
本発明に係る画像処理装置の第３の特徴によれば、変更記憶手段が、ユーザの入力情報に基づいて、選択状態確定手段により、表示手段により表示された画像ページデータの選択状態が変更して確定した場合、変更された画像ページデータの画像属性データと、画像処理条件の変更と、確定した回数とを対応付けて記憶する。そして、判定条件記憶制御手段が、画像属性データ及び画像処理条件の変更の組み合わせに対応する選択状態の確定の回数が、所定閾値を超えた場合、画像属性データと変更後の画像処理条件との組み合わせが含むように、判定条件記憶手段に記憶された判定条件を修正する。
【００１９】
ユーザが何度も同じように画像処理条件を変更した場合には、変更前の画像処理条件より変更後の画像処理条件が、よりそのユーザの嗜好が反映されていることになる。そのため、画像属性データと画像処理条件の変更と、確定した回数を記憶し、ユーザが何度も同じように画像処理条件を変更した場合には、画像属性データ及び画像処理条件の変更の組み合わせに対応する選択状態の確定の回数が所定閾値を超えることになるので、その画像属性データ及び画像処理条件の変更の組み合わせが反映される。これにより、ユーザが画像処理条件を変更する操作をするほどユーザの嗜好の反映されることになるので、よりユーザの嗜好に合った画像データを生成することができる。
【図面の簡単な説明】
【００２０】
【図１】本発明に係る実施例の画像処理装置を備えたインクジェット印刷装置の概略構成図である。
【図２】画像ページデータに含まれる画像属性データの一例を示した図である。
【図３】本発明に係る実施例の画像処理装置が備えるハードディスクドライブに記憶された判定条件テーブルの一例を示した図である。
【図４】本発明に係る実施例の画像処理装置が備えるハードディスクドライブに記憶された履歴データの一例を示した図である。
【図５】本発明に係る実施例の画像処理装置の動作を示すフローチャートである。
【図６】本発明に係る実施例の画像処理装置が備える操作パネルの表示／入力パネルに提示されるサムネイル画像を模式的に説明した説明図である。
【図７】本発明に係る実施例の画像処理装置における条件決定処理の処理内容を示すフローチャートである。
【図８】本発明に係る実施例の画像処理装置における特殊条件記入処理の処理内容を示すフローチャートである。
【発明を実施するための形態】
【００２１】
以下、本発明に係る実施例の画像処理装置について説明する。なお、以下に示す各実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２２】
（画像処理装置の構成）
図１は、本発明に係る実施例の画像処理装置を備えたインクジェット印刷装置の概略構成図である。
【００２３】
図１に示すように、本発明に係る実施例の画像処理装置１は、操作パネル２と、インクジェット印刷装置３とに接続されている。
【００２４】
操作パネル２は、表示／入力パネル２１と、読み取りや印刷等を開始させるためのスタートキー、読み取りや印刷等を停止させるためのストップキー、印刷枚数等を入力するためのテンキー（いずれも図示せず）等の各種操作キー２２とを備え、利用者操作に基づく操作信号をＣＰＵ１３に供給する。
【００２５】
操作パネル２の表示／入力パネル２１は、前面に配置された感圧式あるいは静電式の透明なタッチパネルと、このタッチパネルの裏面に配置され、各種表示画面を表示する液晶表示パネル（いずれも図示せず）とを有している。利用者は、液晶表示パネルの表示画面を見ながら、タッチパネルの表面を指などで直接触れることで、表示画面上に表示されたサムネイルを指定する操作などを行うことができる。
【００２６】
インクジェット印刷装置３は、インクジェット方式、すなわちブラック、シアン、マゼンダ、イエロー等の各色のインクヘッドからインクを吐出して画像を形成するものである。給紙部３１は載置された用紙を印刷部３２に搬送し、印刷部３２がインクジェットからインクを吐出して画像を形成し、画像が形成された用紙を排紙部３３が排紙する。
【００２７】
画像処理装置１は、原稿トレイ１１と、スキャナ部１２と、ＣＰＵ１３と、不揮発性の画像データ一時記憶メモリ１４と、メインメモリ１６と、ハードディスクドライブ１７とを備えている。
【００２８】
原稿トレイ１１は、読み取られる原稿が載置される載置台である。
【００２９】
スキャナ部１２は、図示しないＣＩＳ（Contact Image Sensor）やＣＣＤ（Charge Coupled Devices）イメージセンサ等の画像センサと、画像センサが読取ったアナログの画像信号をデジタルの画像信号（画像データ）に変換するＡ／Ｄ変換部とを備えている。原稿トレイ１１に原稿が置かれたことが検出されると、原稿トレイ１１に置かれた原稿をページ毎に複数の画像処理条件で画像ページデータとして読み取り、読み取った画像ページデータを１つの画像データとして生成し、生成した画像データを画像データ一時記憶メモリ１４へ記憶する。ここでは、画像処理条件は、（１）グレー、（２）高濃度高解像度カラー、（３）低濃度低解像度カラーの３種類である。
【００３０】
（１）グレーは、グレースケールで、画像ページデータを読み込むための画像処理条件であり、例えば、文字画像など判読できればよい場合に用いられる。（２）高濃度高解像度カラーは、高い読み取り濃度、高い解像度、およびカラー設定で画像ページデータを読み込むための画像処理条件であり、例えば、写真画像などデータサイズが大きくなっても鮮明な画像として読み取りたい場合に用いられる。（３）低濃度低解像度カラー低い読み取り濃度、低い解像度、およびカラー設定で画像ページデータを読み込むための画像処理条件であり、カラーで読み取りたいが、読み取った画像の鮮明さより読み取った画像のデータサイズを小さくすることを重視する場合に用いられる。
【００３１】
画像データ一時記憶メモリ１４は、スキャナ部１２により生成されたページ毎に複数の画像処理条件で読み取られた画像ページデータを含む画像データを記憶する。また、画像ページデータには、画像属性に対するデータを最も細かく取得できる画像処理条件で画像ページデータを読み取った場合の画像属性データが含まれている。ここで、画像処理条件が、（１）グレー、（２）高濃度高解像度カラー、（３）低濃度低解像度カラーの３種類である場合、画像属性に対するデータを最も細かく取得できる画像処理条件とは、（２）高濃度高解像度カラーとなる。
【００３２】
図２は、画像ページデータに含まれる画像属性データの一例を示した図である。
【００３３】
図２に示すように、画像属性データは、「カラー割合」、「オブジェクト」、「１ページ全体に渡って使用される色の数」などの項目ごとにその値が記憶されている。例えば、「カラー割合」であれば、有色画素数／ページ全体の画素数として、３（％）などの値が記憶されている。なお、画像属性データは、３（％）というように１つの値として項目ごとに記憶されていてもよいし、Ｘ０（％）以上というように閾値で設定されていてもよいし、Ｘ０（％）以上Ｘ１（％）以下というように範囲で設定されていてもよい。
【００３４】
メインメモリ１６は、ＲＡＭ等から構成され、ＣＰＵ１３が各種処理を実行する際、各種データを記憶したり、演算する際の記憶エリアとして使用する。なお、メインメモリ１６が不揮発性のメモリである場合は、このメインメモリ１６を画像データ一時記憶メモリ１４として機能させても良い。
【００３５】
ハードディスクドライブ１７は、判定条件テーブルと、履歴データと、原稿画像データとを記憶している。
【００３６】
図３は、ハードディスクドライブ１７に記憶された判定条件テーブルの一例を示した図である。
【００３７】
図３に示すように、判定条件テーブルは、複数の画像処理条件のうちいずれかに決定するための画像属性の判定条件であり、ユーザ毎に、画像ページデータの属性である画像属性データの判定基準と、画像処理条件と、優先度とが関連づけられて記憶されている。
【００３８】
例えば、画像属性データの判定基準が、属性項目「カラー割合」について、判定基準値「α（％）以上」である場合、画像処理条件は、「画像処理条件（３）」として設定されている。
【００３９】
また、優先度は、画像属性データの判定基準と画像処理条件の組み合わせのうち、いずれを優先させるかを決定するものである。この優先度は、高い順から、「Ａ」、「Ｂ」、「Ｃ」、「Ｄ」というように設定されている。すなわち、優先度の高い画像属性データの判定基準と画像処理条件の組み合わせが優先的に適用される。
【００４０】
このように、判定条件テーブルは、ユーザ毎に、画像ページデータの属性である画像属性データの判定基準と、画像処理条件と、優先度とが関連づけられて記憶されるので、ユーザ毎に、設定される判定条件テーブルのレコード数が異なることになる。なお、優先度は、画像属性データの判定基準の数が１つの場合は、必ずしも設定する必要はなく、画像属性データの判定基準の数が複数になった場合に設定すればよい。
【００４１】
この判定条件テーブルのうち、レコード４０１や４０３などはデフォルトとしてもともと設定されている判定条件であって、レコード４０２，４０５などの特殊条件は、後述するように、ユーザの変更履歴に応じて都度追加される判定条件である。
【００４２】
図４は、ハードディスクドライブ１７に記憶された履歴データの一例を示した図である。
【００４３】
図４に示すように、履歴データは、ユーザ毎に、日付と、画像属性データと、画像処理条件の変更履歴とを関連づけて記憶されている。
【００４４】
例えば、2015.2.1に、ユーザが、大きさＹ１×Ｚ１画素以上で色（２色以上）の画像属性データを有する画像ページデータに対して、画像処理条件（３）から画像処理条件（２）に変更する操作を行った場合に、レコード５０１のような履歴データが追加される。
【００４５】
原稿画像データは、後述する画像決定手段により決定されたページ毎の画像ページデータのことである。
【００４６】
ＣＰＵ１３は、画像処理装置全体を制御すると共に、画像決定手段１３１と、画像処理条件決定手段１３２と、表示手段１３３と、選択状態確定手段１３４と、判定条件記憶制御手段１３５とを備える。
【００４７】
画像決定手段１３１は、画像データ一時記憶メモリ１４に記憶された画像ページデータから、ユーザの入力情報に基づいて、ページ毎に、複数の画像処理条件で読み取られた画像ページデータからいずれか１つの画像ページデータを決定する。
【００４８】
画像処理条件決定手段１３２は、操作パネル２からのユーザ入力情報に対応する画像属性の判定条件に基づいて、画像データ一時記憶メモリ１４に記憶された各画像属性データに対応する画像処理条件を決定する。
【００４９】
表示手段１３３は、画像処理条件決定手段１３２により決定された画像処理条件で読み取られた画像ページデータが選択された状態で操作パネル２の表示入力パネル２１に表示するとともに、画像処理条件決定手段１３２により決定されなかった他の画像処理条件で読み取られた画像ページデータが選択されない状態で操作パネル２の表示入力パネル２１に表示する。
【００５０】
選択状態確定手段１３４は、ユーザの入力情報に基づいて、操作パネル２の表示入力パネル２１に表示された、ページ毎の複数の画像ページデータに対して、いずれか１つの画像ページデータに、選択状態を確定する。
【００５１】
判定条件記憶制御手段１３５は、画像属性データ及び画像処理条件の変更の組み合わせに対応する選択状態の確定の回数が、所定閾値を超えた場合、画像属性データと変更後の画像処理条件との組み合わせが含むように、ハードディスクドライブ１７に記憶された判定条件テーブルを修正する。
【００５２】
（画像処理装置の作用）
次に、以上のように構成された画像処理装置１の動作について説明する。
【００５３】
図５は、本発明に係る実施例の画像処理装置１の動作を示すフローチャートである。
【００５４】
画像処理装置１では、スキャン処理を実行するために必要な全てのスキャン条件を設定する（ステップＳ１０１）。
【００５５】
全てのスキャン条件が設定されると、ユーザによる操作パネル２の操作によりスキャン要求がなされると（ステップＳ１０５；ＹＥＳ）、スキャナ部１２が、スキャン処理を実行する（ステップＳ１０７）。具体的には、スキャナ部１２は、原稿トレイ１１に置かれた原稿をページ毎に複数の画像処理条件で画像ページデータとして読み取り、読み取った全てのページの画像ページデータをスキャンした画像データとして生成する。
【００５６】
そして、スキャナ部１２は、生成した画像データを画像データ一時記憶メモリ１４へ一時的に記憶する（ステップＳ１０９）。
【００５７】
全てのページについてスキャン処理が完了すると（ステップＳ１１１；ＹＥＳ）、ＣＰＵ１３は、条件決定処理を実行することにより、ページ毎に画像処理条件を決定する（ステップＳ１１３）。この条件決定処理の処理内容については後述する。
【００５８】
次に、ＣＰＵ１３の画像決定手段１３１は、ステップＳ１１３における条件決定処理において決定された画像処理条件の画像ページデータを抽出し、抽出された画像ページデータのサムネイル画像を生成し、生成したサムネイル画像を、例えば太枠で囲むなどして選択されていることがユーザに解るように操作パネル２の表示／入力パネル２１に提示する（ステップＳ１１７）。
【００５９】
次に、画像決定手段１３１は、ステップＳ１１３における条件決定処理において決定されていない画像処理条件の画像ページデータを抽出し、抽出された画像ページデータのサムネイル画像を生成し、生成したサムネイル画像を、選択されていないことがユーザに解るように操作パネル２の表示／入力パネル２１に提示する（ステップＳ１１９）。
【００６０】
図６は、操作パネル２の表示／入力パネル２１に提示されるサムネイル画像を模式的に説明した説明図である。
【００６１】
図６に示した例では、原稿ページ２０１〜２０５を含む原稿２００を、原稿ページ２０１〜２０５それぞれに対して複数の画像処理条件（画像処理条件（１）〜（３））で読み取られた画像ページデータのサムネイル画像３００を示している。
【００６２】
図６では、原稿ページ２０１〜２０５それぞれに対応するサムネイル画像３００を紙面右に配置して記載している。例えば、原稿ページ２０１を画像処理条件（１）で読み取られた画像ページデータのサムネイル画像はサムネイル画像３０１であり、原稿ページ２０１を画像処理条件（２）で読み取られた画像ページデータのサムネイル画像はサムネイル画像３０２であり、原稿ページ２０１を画像処理条件（３）で読み取られた画像ページデータのサムネイル画像はサムネイル画像３０３である。なお、サムネイル画像３０１〜３０３に記載した「グレー」、「高濃度高解像度カラー」、「低濃度低解像度カラー」の文字は、読み取られた画像ではなく、それぞれ画像処理条件（１）〜（３）を示している。
【００６３】
表示手段１３３は、サムネイル画像３００を操作パネル２の表示／入力パネル２１に提示する。このとき、全てのサムネイル画像３００を一度に表示／入力パネル２１に提示できない場合は、図６に示すように表示枠３００ａ内のサムネイル画像３０１〜３０３，３１１〜３１３を表示／入力パネル２１に提示する。そして、ユーザによるスクロール操作により、スクロールさせてサムネイル画像３２１〜３２３などの下にあるサムネイル画像を提示することができる。
【００６４】
サムネイル画像３０２は、ステップＳ１１３における条件決定処理において決定された画像処理条件の画像ページデータに基づいて生成されたサムネイル画像であるので、選択されていることがユーザに解るようにサムネイル画像が太枠で囲まれて提示されている。
【００６５】
一方、サムネイル画像３０１，３０３は、ステップＳ１１３における条件決定処理において決定されていない画像処理条件の画像ページデータに基づいて生成されたサムネイル画像であるので、選択されていないことがユーザに解るようにサムネイル画像が太枠で囲むことなく提示されている。
【００６６】
図６の紙面左右方向に表示しているサムネイル画像３０２〜３０３や、サムネイル画像３１１〜３１３は、それぞれ、ユーザが左右方向にスライド操作を行うことにより選択状態を変更可能に表示されている。このとき、操作パネル２の表示／入力パネル２１上に、「最も好みの画像が太枠内に入るように、スライドさせてください。」というメッセージを表示させてもよい。
【００６７】
そして、選択状態確定手段１３４は、画像ページデータの変更操作が行われたか否かを判定する（ステップＳ１２１）。例えば、図６に示した例では、ユーザによる表示／入力パネル２１上のスライド操作により、選択状態をサムネイル画像３０２からサムネイル画像３０１へ変更することも可能であるし、選択状態をサムネイル画像３０２からサムネイル画像３０３へ変更することも可能である。すなわち、ユーザは表示／入力パネル２１に提示されたサムネイル画像３００を確認し、自分の好みのサムネイル画像に変更することができる。そして、ユーザがサムネイル画像の選択状態を他のサムネイル画像に変更し、表示／入力パネル２１から図示しない「確定ボタン」を押下操作すると、選択状態確定手段１３４は、画像ページデータの変更操作が行われたと判定し、選択されたサムネイル画像に選択状態を確定する。
【００６８】
ステップＳ１２１において、画像ページデータの変更操作が行われたと判定された場合（ＹＥＳ）、ＣＰＵ１３は、特殊条件記入処理を実行することにより、ユーザの嗜好に合致した判定条件テーブルを生成し（ステップＳ１２３）、画像ページデータをステップＳ１２１において変更されたとおりに差し替える（ステップＳ１２５）。なお、特殊条件記入処理の処理内容については後述する。
【００６９】
次に、ＣＰＵ１３は、ステップＳ１２５において差し替えられた画像ページデータを含む画像データをハードディスクドライブ１７に記憶する（ステップＳ１２７）。
【００７０】
そして、ユーザにより終了操作が行われると（ステップＳ１３１）、画像データ一時記憶メモリ１４に記憶していた画像データを消去する（ステップＳ１３３）。
【００７１】
以上のように、本発明に係る実施例の画像処理装置１は、スキャナ部１２によりページ毎の原稿を、複数の画像処理条件で読み取ることにより生成した画像ページデータを記憶する画像データ一時記憶メモリ１４を備えており、画像決定手段１３１が、画像データ一時記憶メモリ１４に記憶された画像ページデータから、ユーザの入力情報に基づいて、ページ毎に、複数の画像処理条件で読み取られた画像ページデータからいずれか１つの画像ページデータを決定し、ハードディスクドライブ１７に、画像決定手段１３１により決定されたページ毎の画像ページデータを、原稿画像データとして記憶するので、ページ毎に、複数の画像処理条件で読み取られた画像ページデータの中からユーザの嗜好に合った画像処理条件で読み取られた画像ページデータが選択され、ユーザの嗜好に合った画像データを生成することができる。
【００７２】
また、表示手段１３３が、画像処理条件決定手段１３２により決定された画像処理条件で読み取られた画像ページデータが選択された状態で表示するとともに、画像処理条件決定手段１３２により決定されなかった他の画像処理条件で読み取られた画像ページデータが選択されない状態で表示し、選択状態確定手段１３４がユーザの入力情報に基づいて、操作パネル２に表示された、ページ毎の複数の画像ページデータに対して、いずれか１つの画像ページデータに、選択状態を確定するので、ユーザは表示／入力パネル２１に提示されたサムネイル画像３００を実際に確認しながら、自分の好みのサムネイル画像に変更することができる。
【００７３】
（条件決定処理）
図７は、本発明に係る実施例の画像処理装置における条件決定処理の処理内容を示すフローチャートである。
【００７４】
ＣＰＵ１３は、スキャナ部１２により、スキャンした画像ページデータのカウント値ｋに「１」を代入し（ステップＳ２０１）、画像属性に対するデータを最も細かく取得できる画像処理条件（ここでは、画像処理条件（２））で、第ｋページ目の画像ページデータを読み取った場合の画像属性データを取得する（ステップＳ２０３）。具体的には、画像処理条件決定手段１３２が、画像ページデータに含まれる図２に示すような画像属性データを取得する。
【００７５】
そして、画像処理条件決定手段１３２は、図３に示した判定条件テーブルを参照して、取得した第ｋページ目の画像属性データに対応する画像処理条件を決定する（ステップＳ２０５）。例えば、第ｋページ目の画像属性データのカラー割合がα（％）未満であり、オブジェクトとしてイラストが含まれ、この画像ページデータの大きさがＹ０×Ｚ０画素以上であり、画像ページデータに用いられている色が２色以上であり、その他の画像属性データが設定されていない場合、画像処理条件決定手段１３２は、画像処理条件（３）を決定する。
【００７６】
具体的には、図３に示した判定条件テーブルのレコード４０１〜４０４が記憶されている場合、第ｋページ目の画像属性データのカラー割合はα（％）未満であるので、レコード４０３に基づいて対応する画像処理条件は、画像処理条件（１）となる。その一方、第ｋページ目の画像属性データには、オブジェクトとしてイラストが含まれ、この画像ページデータの大きさがＹ０×Ｚ０画素以上であり、画像ページデータに用いられている色が２色以上であるので、レコード４０５に基づいて対応する画像処理条件は、画像処理条件（３）となる。
【００７７】
このように、複数の画像処理条件が該当する場合、画像処理条件決定手段１３２は、優先度の高い方の画像処理条件を優先して決定する。具体的には、レコード４０３の優先度は「Ｄ」であり、レコード４０５の優先度は「Ｃ」であるので、レコード４０５の優先度の方が高い。そこで、画像処理条件決定手段１３２は、第ｋページ目の画像属性データの画像処理条件として、画像処理条件（３）を決定する。
【００７８】
次に、画像処理条件決定手段１３２は、決定した画像処理条件をセットし（ステップＳ２０７）、全ての画像ページデータについて画像処理条件を決定したか否かを判定する（ステップＳ２０９）。
【００７９】
ステップＳ２０９において、全ての画像ページデータについて画像処理条件を決定した場合（ＹＥＳ）、図５に示すメインルーチンに処理を戻し、いまだ全ての画像ページデータについて画像処理条件を決定していない場合（ＮＯ）、カウント値ｋをインクリメントし（ステップＳ２１１）、ステップＳ２０３へ処理を移行する。
【００８０】
以上のように、画像処理条件決定手段１３２が、ユーザの嗜好が反映された判定条件テーブルから、記憶された画像データに含まれる画像ページデータの画像属性データに対応する画像処理条件をセットするので、上述した図５におけるフローチャートのステップＳ１１７において、サムネイル画像を操作パネル２の表示／入力パネル２１に提示する際、ユーザの嗜好が反映されたサムネイル画像がデフォルトとしてまず提示されるので、ステップＳ１２１における画像ページデータの変更操作を極力少なくすることができ、ユーザにとっての煩わしさを低減することができる。
【００８１】
（特殊条件記入処理）
図８は、本発明に係る実施例の画像処理装置における特殊条件記入処理の処理内容を示すフローチャートである。
【００８２】
図８に示すように、判定条件記憶制御手段１３５は、判定条件テーブルにピックアップされている画像属性データ判定基準に対応する画像属性データを、履歴データに記憶すると共に、画像処理条件の変更を記憶する（ステップＳ３０１）。例えば、2015.2.1に、ユーザにより、画像ページデータの画像処理条件を画像処理条件（３）から画像処理条件（２）へ変更する変更操作が行われた場合、判定条件記憶制御手段１３５は、図４のレコード５０１に示すように、日付に「2015.2.1」と記憶させ、画像属性データに「オブジェクト／写真  大きさＹ１×Ｚ１画素以上、色（２色以上）」を記憶させ、これらに関連づけて、変更履歴に「画像処理条件（３）→（２）」と記憶させる。
【００８３】
また他の例として、画像属性データが、「オブジェクト／写真  大きさＹ０×Ｚ０画素以下、色（２色以上）」、「カラー割合  α（％）未満」である場合、ステップＳ１１３の条件決定処理において、「カラー割合  α（％）未満」に対して画像処理条件（１）が決定されていることになる。ここで、2015.2.2に、ユーザにより、画像ページデータの画像処理条件を画像処理条件（１）から画像処理条件（２）へ変更する変更操作が行われた場合、判定条件記憶制御手段１３４は、図４のレコード５０２に示すように、日付に「2015.2.2」と記憶させ、画像属性データに「オブジェクト／イラスト  位置：右上位置  大きさ：Ｙ２×Ｚ２画素以下、数：３個以下  色：１色（暖色系）」を記憶させ、これらに関連づけて、変更履歴に「画像処理条件（１）→（２）」と記憶させる。
【００８４】
次に、画像決定手段１３１は、履歴データに基づいて、その属性項目に対応する画像属性データについての画像処理条件の変更が、所定変更閾値に達したか否かを判定する（ステップＳ３０３）。例えば、履歴データの中に、画像属性データが「オブジェクト／写真  大きさＹ１×Ｚ１画素以上、色（２色以上）」であり、変更履歴に「画像処理条件（３）→（２）」である組み合わせの数が、予め設定された所定変更閾値に達したか否かを判定する。
【００８５】
ここで、所定変更閾値は、ユーザの嗜好をどのタイミングで反映するかを決定する閾値であるので、大きすぎるとユーザの嗜好が反映させ難くユーザが不満を持ちやすくなり、小さすぎるとユーザの気まぐれで変更操作した履歴が反映されたりするので、画像処理条件の設定の安定性が損なわれる。そのため、予めユーザの嗜好を適切に反映できる数を所定変更閾値として設定しておく必要がある。
【００８６】
ステップＳ３０３において、その属性項目に対応する画像属性データについての画像処理条件の変更が、所定変更閾値に達したと判定された場合（ＹＥＳ）、判定条件記憶制御手段１３５は、画像属性データと変更後の画像処理条件との組み合わせが含むように、判定条件テーブルに特殊条件として記憶する（ステップＳ３０５）。例えば、変更前の判定条件テーブルに、画像属性データ判定基準が「オブジェクト／写真／特殊条件  大きさＹ１×Ｚ１画素以上、色（２色以上）」の場合、図３に示したレコード４０１で判定することになるので、画像処理条件として画像処理条件（３）となる。このとき、画像属性データが「オブジェクト／写真  大きさＹ１×Ｚ１画素以上、色（２色以上）」であり、変更履歴に「画像処理条件（３）→（２）」である組み合わせの数が、所定変更閾値に達すると、何度も同じ条件で同じ変更を行っているということであるので、ユーザはこの画像属性データの場合は、画像処理条件（３）ではなく、画像処理条件（２）を好むという嗜好を有していると推測できる。
【００８７】
そこで、判定条件記憶制御手段１３５は、レコード４０２のように、画像属性データ判定基準が「オブジェクト／写真／特殊条件  大きさＹ１×Ｚ１画素以上、色（２色以上）」を特殊条件として、画像処理条件を「画像処理条件（２）」とすることにより判定条件テーブルを更新する。
【００８８】
また、「オブジェクト／イラスト  位置：右上位置  大きさ：Ｙ２×Ｚ２画素以下、数：３個以下  色：１色（暖色系）」の場合、変更履歴に「画像処理条件（１）→（２）」の場合が所定閾値を超えた場合、判定条件テーブルに、「カラー割合  α（％）未満」の場合は、画像処理条件（１）だが、「オブジェクト／イラスト  位置：右上位置  大きさ：Ｙ２×Ｚ２画素以下、数：３個以下  色：１色（暖色系）」の場合には、画像処理条件（２）となるような条件（優先度Ａ）を追記する。
【００８９】
なお、上記のように追記する条件は、もともとの条件（例えば、「カラー割合  α（％）未満」の場合に画像処理条件（１））に対して例外の条件（例えば、「オブジェクト／イラスト  位置：右上位置  大きさ：Ｙ２×Ｚ２画素以下、数：３個以下  色：１色（暖色系）」の場合には、画像処理条件（２））となるような場合には、もともとの条件より高い優先度より設定する。実施例では、特殊条件として優先度Ａとしているが、必ずしもＡでなくとも追記する特殊条件の種類に応じて決めても良い。また、優先度が同じもので2つ以上となり、異なる画像処理条件の場合は、ユーザに選択させるようにしてもよい。
【００９０】
なお、ステップＳ３０３〜Ｓ３０５において、判定条件記憶制御手段１３５は、画像属性データが同一である変更履歴の数が所定の変更履歴数閾値を超えた場合に、この画像属性データと、変更後の画像処理条件とに基づいて判定条件テーブルを更新したが、同一に限らず類似である変更履歴の数が所定の変更履歴数閾値を超えた場合に、この画像属性データと、変更後の画像処理条件とに基づいて判定条件テーブルを更新するようにしてもよい。ここで類似とは、画像属性データについて所定数以上の共通項があれば類似とする。
【００９１】
また、本実施例では、画像処理条件は、（１）グレー、（２）高濃度高解像度カラー、（３）低濃度低解像度カラーの３種類としたが、３種類に限らず複数であればよい。
【符号の説明】
【００９２】
１…画像処理装置
２…操作パネル
３…インクジェット印刷装置
１１…原稿トレイ
１２…スキャナ部
１３…ＣＰＵ
１４…画像データ一時記憶メモリ（画像記憶手段）
１６…メインメモリ
１７…ハードディスクドライブ（原稿画像記憶手段、判定条件記憶手段、変更記憶手段）
２１…表示／入力パネル
２２…操作キー
３１…給紙部
３２…印刷部
３３…排紙部
１３１…画像決定手段
１３２…画像処理条件決定手段
１３３…表示手段
１３４…選択状態確定制御手段
１３５…判定条件記憶制御手段
【図１】
2016213565.tif 000003
【図２】
2016213565.tif 000004
【図３】
2016213565.tif 000005
【図４】
2016213565.tif 000006
【図５】
2016213565.tif 000007
【図６】
2016213565.tif 000008
【図７】
2016213565.tif 000009
【図８】
2016213565.tif 000010